(57)【要約】【課題】  前面枠の前面に隙間発生をなくして不正行為等の発生を防止したり、装飾カバー間の隙間発生もなくしてその意匠的美観が損なわれることを防止し得るパチンコ遊技機を提供する。【解決手段】  前面下部に腰板部が張設された外枠に対して、該外枠の上端から下部に位置する腰板部の上端までの距離に略等しい高さ幅を有すると共に、遊技盤保持部を含んだ状態で形成された内枠を開閉自在に装着してなるパチンコ遊技機において、内枠の前面に、当該内枠の全体を一括して被覆する前面枠を、内枠に対して開閉自在に備えたことを特徴とする。前記前面枠の前面には、少なくとも、遊技盤可視窓と、遊技球貯留部、遊技球発射操作ハンドルとが一体に形成あるいは組み付けられた合成樹脂製の装飾カバーユニットが被覆される。【選択図】  図５
2006174965.tif 000002
【特許請求の範囲】
【請求項１】
前面下部に腰板部が張設された外枠に対して、該外枠の上端から下部に位置する前記腰板部の上端までの距離に略等しい高さ幅を有すると共に、遊技盤保持部を含んだ状態で形成された内枠を開閉可能に装着してなるパチンコ遊技機において、
前記内枠の前面に、当該内枠の全体を一括して被覆する前面枠を、前記内枠に対して開閉可能に備えたことを特徴とするパチンコ遊技機。
【請求項２】
前記前面枠の前面に、少なくとも、遊技盤可視窓と、遊技球貯留部、遊技球発射操作ハンドルとが一体に形成あるいは組み付けられた合成樹脂製の装飾カバーユニットを被覆させてなることを特徴とする請求項１に記載のパチンコ遊技機。
【請求項３】
前記装飾カバーユニットは、平面状に形成された遊技盤可視窓と、該遊技盤可視窓を囲撓し少なくとも前記遊技盤可視窓よりも前面枠の表面方向に対して突出して形成されたカバーパーツと、を備えることを特徴とする請求項２に記載のパチンコ遊技機。
【請求項４】
前記前面枠が前面枠基体を備え、該前面枠基体の表面が透明板を有する装飾カバーユニットで被覆され、前記前面枠基体の裏面にガラス板保持ユニットを組み付けてなることを特徴とする請求項１ないし３のいずれかに記載のパチンコ遊技機。
【請求項５】
前記ガラス板保持ユニットに、単一のガラス板を取着して形成されることを特徴とする請求項４に記載のパチンコ遊技機。
【発明の詳細な説明】
【技術分野】
【０００１】
本発明は、外枠に対して内枠が開閉自在に装着されると共に、この内枠の前面に前面枠が開閉自在に装着されたパチンコ遊技機に関するものである。
【背景技術】
【０００２】
従来、この種のパチンコ遊技機としては、例えば図５に示すものが知られている。このパチンコ遊技機１０１は、前面下部に腰板部１０２が張設された外枠の前面側に、該外枠の上端から下部の腰板部１０２の上端までの距離と略等しい高さ幅を有すると共に、遊技盤保持枠を含む状態で形成された内枠が開閉自在に装着されている。そして、この内枠の前面には、該内枠の遊技盤保持領域を被覆する第１の扉枠１０３と、この第１の扉枠１０３の下方に位置し上皿１０６が設けられた第２の扉枠１０４と、この第２の扉枠１０４の下方に位置し下皿１０７と遊技球発射操作ハンドル１０８等が設けられた第３の扉枠１０５が配設されて、これら３つの扉枠１０３〜１０５で内枠の前面が被覆されるようになっている。なお、かかるパチンコ遊技機としては、例えば特許文献１及び特許文献２に開示されている。
【特許文献１】特開２００１−３５３３１８号公報
【特許文献２】特開２００２−１５９７０３号公報
【発明の開示】
【発明が解決しようとする課題】
【０００３】
しかしながら、このようなパチンコ遊技機１０１にあっては、遊技機１０１の前面枠がそれぞれ装飾カバー１０３ａ〜１０５ａで被覆された第１〜第３の３つの扉枠１０３〜１０５で形成され、これら各扉枠１０３〜１０５によって内枠の前面が被覆されているため、上下方向に連接される３つの扉枠１０３〜１０５の接合部分に、各扉枠１０３〜１０５の端面で形成される隙間１０９が発生し易く、この隙間１０６からセルやピアノ線等の不正具を挿入して遊技する不正行為が行われる虞がある。
【０００４】
また、第１〜第３の扉枠１０３〜１０５の前面には、デザイン的に統一された合成樹脂製の装飾カバー１０３ａ〜１０５ａがそれぞれ装着されて、複数の扉枠１０３〜１０５を連続的に見た際に、各扉枠１０３〜１０５に一体的な意匠的美観が生じるように形成されているものの、各扉枠１０３〜１０５間に生じる前記隙間１０９により、各装飾カバー１０３ａ〜１０５ａも分断される状態となって、パチンコ遊技機１０１の前面全体の意匠的美観が損なわれる虞もある。
【０００５】
本発明は、このような事情に鑑みてなされたもので、その目的は、前面枠の前面に隙間発生をなくして不正行為等を防止し得るパチンコ遊技機を提供することにある。また、他の目的は、前記目的に加え、装飾カバー間の隙間発生もなくしてその意匠的美観が損なわれることを防止し得るパチンコ遊技機を提供することにある。
【課題を解決するための手段】
【０００６】
かかる目的を達成すべく、本発明のうち請求項１に記載の発明は、前面下部に腰板部が張設された外枠に対して、該外枠の上端から下部に位置する前記腰板部の上端までの距離に略等しい高さ幅を有すると共に、遊技盤保持部を含んだ状態で形成された内枠を開閉自在に装着してなるパチンコ遊技機において、前記内枠の前面に、当該内枠の全体を一括して被覆する前面枠を、前記内枠に対して開閉自在に備えたことを特徴とする。
【０００７】
また、請求項２に記載の発明は、前記前面枠の前面に、少なくとも、遊技盤可視窓と、遊技球貯留部、遊技球発射操作ハンドルとが一体に形成あるいは組み付けられた合成樹脂製の装飾カバーユニットを被覆させてなることを特徴とする。さらに、請求項３に記載の発明は、前記装飾カバーユニットが、平面状に形成された遊技盤可視窓と、該遊技盤可視窓を囲撓し少なくとも前記遊技盤可視窓よりも前面枠の表面方向に対して突出して形成されたカバーパーツと、を備えることを特徴とする。
【０００８】
また、請求項４に記載の発明は、前記前面枠が前面枠基体を備え、該前面枠基体の表面が透明板を有する装飾カバーユニットで被覆され、前記前面枠基体の裏面にガラス板保持ユニットを組み付けてなることを特徴とする。また、請求項５に記載の発明は、前記ガラス板保持ユニットに、単一のガラス板を取着して形成されることを特徴とする。
【発明の効果】
【０００９】
本発明のうち請求項１に記載の発明によれば、外枠に対して開閉自在に装着され、外枠の上端から腰板部の上端までの距離に略等しい高さ幅を有すると共に遊技盤保持部を含んだ状態で形成された内枠の前面に、当該内枠の全体を一括して被覆する前面枠を開閉自在に備えるため、前面枠が複数の枠に分割されることがなく、不正具を挿入し得る隙間がなくなって、不正行為を防止することができる。
【００１０】
また、請求項２に記載の発明によれば、請求項１に記載の発明の効果に加え、前面枠の前面が、少なくとも遊技盤可視窓と、遊技球貯留部、遊技球発射操作ハンドルが一体に形成あるいは組み付けられた合成樹脂製の装飾カバーユニットで被覆されるため、装飾カバーユニットを略１枚物で形成できてカバーユニットの表面に隙間発生をなくし、不正行為を確実に防止できると共に、遊技機前面の意匠的美観を高めることができる。
【００１１】
さらに、請求項３に記載の発明によれば、請求項２に記載の発明の効果に加え、装飾カバーユニットが、平面状に形成された遊技盤可視窓と、該遊技盤可視窓を囲撓し少なくとも遊技盤可視窓よりも前面枠の表面方向に対して突出して形成されたカバーパーツと、を備えるため、遊技盤可視窓の周囲に立体感あるカバーパーツを簡単に配置できて、遊技機前面の意匠的美観を一層高めることができる。
【００１２】
また、請求項４に記載の発明によれば、請求項１ないし３に記載の発明の効果に加え、装飾カバーユニットと共に前面枠を構成する前面枠基体の裏面にガラス板保持ユニットが組み付けられるため、遊技盤可視窓を装飾カバーユニットの透明板とガラス板保持ユニットのガラスとで構成できて、前面枠を安価に形成できると共に、透明板を平面や曲面等で形成できて、遊技機前面の意匠的美観をより一層高めることができる。
【００１３】
また、請求項５に記載の発明によれば、請求項４に記載の発明の効果に加え、ガラス板保持ユニットが単一のガラス板を取着して形成されるため、ガラス板の使用枚数を最小限とすることができて、一層安価な前面枠を得ることができる。
【発明を実施するための最良の形態】
【００１４】
以下、本発明の実施の形態を図面に基づいて詳細に説明する。
図１〜図４は、本発明に係わるパチンコ遊技機の一実施形態を示し、図１がその正面図、図２が前面枠の開放状態を示す斜視図、図３が前面枠の分解斜視図、図４が前面枠基体の裏面図である。
【００１５】
図１及び図２に示すように、パチンコ遊技機１は、縦長の矩形状に枠組み形成されその前面下部に腰板部３が張設された外枠２と、この外枠２の前面側の一端部に上下のヒンジ４によって開閉自在に装着されると共に図示しない遊技盤保持枠が形成された内枠５と、この内枠５の前面側の幅方向一端部に前記ヒンジ４によって開閉自在に装着された前面枠６等で構成されている。
【００１６】
前記前面枠６は、図２〜図４に示すように、その高さ寸法（高さ幅）が前記外枠２の上端から下部に位置する腰板部３の上端までの寸法と略等しく設定された前面枠基体７と、この前面枠基体７の表面７ａに装着された装飾カバーユニット８と、前記前面枠基体７の裏面７ｂに装着されたガラス板保持ユニット９等を備えている。このうち前面枠基体７は、鉄板等の金属板よって略板状に形成され、略円形の遊技盤可視窓１０を形成する開口１０ａが設けられると共に、表面７ａの開口１０ａ周囲に各種形状のカバー取付部１１ａを有する装飾部１１が一体形成されている。
【００１７】
また、前記装飾カバーユニット８は、図２及び図３に示すように、５個のカバーパーツにより形成され中央部分に前記開口１０ａと共に遊技盤可視窓１０を形成する略円形の透明板１２ｅを有するカバー部材１２と、このカバー部材１２の下部表面側に被覆される操作ハンドルカバー１３と、カバー部材１２の左上部に配置される正面視三日月状の電飾カバー１４等によって構成されている。
【００１８】
このうち、カバー部材１２は、遊技者が例えばパチンコ遊技機１に併設された球自販機で購入した遊技球を受皿１５に誘導するための受皿誘導樋１６が一体形成された非透光性の受皿誘導樋カバー１２ａと、この誘導樋カバー１２ａの左上部及び右側方に一体化されその内部にＬＥＤ（図示せず）が配置された透光性の電飾カバー１２ｂ、１２ｃと、この電飾カバー１２ｂ、１２ｃ間で受皿誘導樋カバー１２ａと直径方向の対向位置に設けられ内部にスピーカ等の音声発生手段（図示せず）が配置された非透光性の音声発生カバー１２ｄと、これら各カバー１２ａ〜１２ｄの内側に形成される空間内に配置されて遊技盤可視窓１０を形成する前記透明板１２ｅの５個のカバーパーツによって形成されている。なお、この各カバーパーツは、例えば射出圧縮成形方法によって形成される。
【００１９】
そして、これらの各カバー１２ａ〜１２ｄと透明板１２ｅが、後述するように予め所定の成形型等を使用しかつ所定色の樹脂により形成され、この形成した各カバー１２ａ〜１２ｄと透明板１２ｅを熱溶着用の型内にセットして各接合部を熱溶着することにより、各カバー１２ａ〜１２ｄと透明板１２ｅが一体化されると共に、各カバー１２ａ〜１２ｄが、平面状の透明板１２ｅよりも前面枠６の表面から所定寸法突出しかつ該透明板１２ｅを囲撓する状態のカバー部材１２が形成されることになる。
【００２０】
また、これらの各カバー１２ａ〜１２ｄ等のうち少なくとも電飾カバー１２ｂ、１２ｃは、内部に配置される電飾部材としてのＬＥＤ等の色が前面枠６の前方に効果的に放射されるように、その内面及び表面が例えば曲面と平面を組み合わせた三次元形状に形成されてレンズとして機能するように形成されている。この場合、受皿誘導樋カバー１２ａや音声発生カバー１２ｄで覆う装飾部１１にＬＥＤ等が配置される場合には、各カバー１２ａ、１２ｄの該ＬＥＤに対応した部分にレンズ機能も持たせることも勿論可能であり、このことはカバー部材１２以外の操作ハンドルカバー１３や電飾カバー１４についても同様である。さらに、前記音声発生カバー１２ｄは音声発生手段の前面に開口が設けられて、この開口に例えば金属の薄板からなるメッシュ板１８（図１参照）が嵌め込まれている。
【００２１】
また、前記透明板１２ｅとしては、透明樹脂による金型成形もしくは透明な樹脂板の切断加工等により前述したように平面状に形成されるが、例えば遊技盤に対して外方（前面枠６の表面方向）に突出した凸状の曲面板に形成して、パチンコ遊技機１のデザイン効果を高めることも勿論可能である。さらにまた、前記電飾カバー１４は、カバー部材１２とは別体で形成されて前面枠基体７の左上コーナ部に配置され、その内部の前面枠基体７の装飾部１１には、図示しない枠状態表示ＬＥＤ等が配置されている。この電飾カバー１４は電飾カバー１２ｂと別体に限らず、電飾カバー１２ｂに一体成形することでカバー部材１２に一体化することも勿論可能である。
【００２２】
なお、カバー部材１２の各カバー１２ａ〜１２ｄや電飾カバー１４の裏面側、あるいは操作ハンドルカバー１３の裏面側には、突起等からなる取付部２３（図３参照）がそれぞれ設けられており、この取付部２３が前面枠基体７の前記装飾部１１のカバー取付部１１ａに、例えば凹凸嵌合やビス止め等の適宜の固着手段により位置決めされつつ取り付けられている。
【００２３】
また、前記前面枠基体７の裏面７ｂ側には、図４に示すように、開口１０ａの周囲にガラス板保持ユニット９を取り付けるための固定フック１９や差し込み軸２０が複数個設けられている。そして、幅方向一端側の上下の差し込み軸２０に、ガラス板保持ユニット９の一端側の上下に設けた突起（図示せず）をそれぞれ嵌合させると共に、ガラス板保持ユニット９の幅方向他端側を固定フック１９で係止させることにより、ガラス板保持ユニット９が前面枠基体７の裏面７ｂに装着されている。
【００２４】
次に、このように構成された前面枠６の製造方法の一例と前面枠６の開放動作の一例について説明する。先ず、前面枠６の製造は、前面枠基体７をプレス加工して開口１０ａや装飾部１１を一体形成すると共に、固定フック１９や差し込み軸２０を取り付け、またこれとは別に装飾カバーユニット８を作成する。この装飾カバーユニット８の作成は、各カバーに対応した所定の金型等と所定色の樹脂を使用して、前記受皿誘導樋カバー１２ａ、電飾カバー１２ｂ、１２ｃ及び音声発生カバー１２ｄや透明板１２ｅからなるカバー部材１２の５個のカバーパーツと、操作ハンドルカバー１３及び電飾カバー１４の合計７個のカバーを作成する。この時、前記音声発生カバー１２ｄは、成形したベースの開口に予め成形等した音声通過部材としてのメッシュ板１８を嵌め込み固定することによって作成される。
【００２５】
そして、前記カバー部材１２を形成する各カバー１２ａ〜１２ｄや透明板１２ｅを作成したら、これらを前面枠６の外形形状に略合致した形状の型を使用し、該型の所定位置に各カバー１２ａ〜１２ｄや透明板１２ｅを配置して、これらの各接合端部を所定温度で加熱して熱溶着させる。これにより、各カバー１２ａ〜１２ｄ等が一体化されて各カバー１２ａ〜１２ｄ間やこれらと透明板１２ｅ間に隙間の発生がなくかつ中央部分に前記遊技盤可視窓１０を形成する透明板１２ｅを有するカバー部材１２が作成される。なお、前記電飾カバー１４は、カバー部材１２と別体で形成する場合に所定の金型を使用して個別に成形される。
【００２６】
前面枠基体７とカバー部材１２等を作成したら、前面枠基体７の装飾部１１に各種ＬＥＤが搭載された電飾用の基板や状態表示基板等（いずれも図示せず）を取り付ける。そして、これらの各種部品が取り付けられた前面枠基体７の装飾部１１に、一体化したカバー部材１２や電飾カバー１４を取り付けると共に、カバー部材１２の下部に該カバー部材１２の上部を一部覆う状態で、操作ハンドルカバー１３を取り付ける。この時、カバー部材１２の装飾部１１への取り付けは、カバー部材１２の透明板１２ｅを前面枠基体７の開口１０ａに合致させる状態で前面枠基体７の表面７ａ側から装着しつつ、装飾部１１のカバー取付部１１ａ等を利用して固定することにより行われる。
【００２７】
また、カバー部材１２の下部に装着される操作ハンドルカバー１３には、遊技球貯留部としての受皿１５、遊技球発射操作ハンドル２１や演出ボタン２２等が取り付けられており、該カバー１３内部には演出スイッチ基板や残高表示基板あるいは残高表示器等（いずれも図示せず）が内蔵された状態となっている。この操作ハンドルカバー１３の取り付けにより、装飾カバーユニット８が前面枠基体７の表面７ａに取り付けられ、次に、前面枠基体７の裏面７ｂに前記ガラス板保持ユニット９を取り付けることにより前面枠６が作成される。この前面枠６は、その幅方向の左端側の上下に設けたヒンジ４が外枠２に回動自在に支持されると共に、幅方向の右端下部に設けた鍵ユニット１７（図２参照）により施錠されたり、あるいは解錠されて開放可能に外枠２に組み付けられる。
【００２８】
そして、このように組み付けられたパチンコ遊技機１において、前面枠６は次のようにして開放操作される。すなわち、鍵ユニット１７により施錠された状態において、鍵ユニット１７に鍵１７ａを差し込み反時計方向に回転させることにより、図２に示すように、前面枠６のみが外枠２（内枠５）に対して開放され、また、鍵ユニット１７に鍵１７ａを差し込んで時計方向に回転させることにより、図示はしないが内枠５が前面枠６と一体となって開放されることになる。
【００２９】
また、内枠５と前面枠６が前記鍵ユニット１７により施錠された状態においては、遊技盤の前面が前面枠６で完全に被覆されると共に、前面枠６の遊技盤可視窓１０から内枠５に取り付けられた遊技盤の遊技領域が視認される。この視認状態において、パチンコ遊技機１の最も前面に位置する装飾カバーユニット８のカバー部材１２が、各カバー１２ａ〜１２ｄと透明板１２ｅの熱溶着による一体化で形成されると共に、このカバー部材１２の下部前面に操作ハンドルカバー１３が一体的に組み付けられていることから、各カバー１２、１３間に隙間がほとんど形成されず、パチンコ遊技機１の腰板部３の上方に１枚の装飾用カバー（カバー部材１２及び操作ハンドルカバー１３等）が位置した状態となり、この状態で遊技者により遊技が行われることになる。
【００３０】
なお、以上の前面枠６の製造方法の説明は一例であって、その手順も他の適宜の手順を採用できるし、前面枠基体７への各種部品や基板の組み付けあるいは各種装飾カバーの組み付けを手作業で行うことは勿論のこと、例えば予め成形された各カバー１２ａ〜１２ｅの溶着、カバー部材１２や各種基板等の各部品の前面枠基体７の装飾部１１への組み付け等の作業をロボットにより自動的に行うようにする等、各工程の一部や全部を自動化することも可能である。
【００３１】
このように、上記実施形態のパチンコ遊技機１にあっては、外枠２に対して開閉自在に装着され外枠２の上端から腰板部３の上端までの距離に略等しい高さ寸法を有すると共に、内枠５の前面に該内枠５の全体を一括して被覆するように前面枠６が開閉自在に設けられるため、遊技機１の前面となる前面枠６が従来のように複数の枠に分割されることがなくなり、従来各枠間に必然的に発生していた隙間１０９をなくすことができて、例えば隙間１０９から不正具を挿入する等の不正行為の発生を確実に防止することができる。特に、カバー部材１２が各カバー１２ａ〜１２ｄや透明板１２ｅを熱溶着で一体化すると共に、このカバー部材１２の下部に操作ハンドルカバー１３が一体的に組み付けられることから、装飾カバーユニット８の表面にも隙間の発生がほとんどなくなり、不正行為の発生を一層確実に防止することができる。
【００３２】
また、パチンコ遊技機１の前面となる前面枠６に、透明板１２ｅを有するカバー部材１２が配置されると共に、このカバー部材１２に連続した状態で受皿１５や遊技球発射操作ハンドル２１等が組み付けられた操作ハンドルカバー１３が一体的に組付配置されるため、前面のカバー部分における隙間の発生を抑えてパチンコ遊技機１前面の意匠的美観を高めることができる。特に、装飾カバーユニット８が、前面枠６の表面方向に突出して形成された受皿誘導樋カバー１２ａ、電飾カバー１２ｂ、１２ｃ及び音声発生カバー１２ｄ等からなるカバー部材１２と、平面状に形成された透明板１２ｅとを、熱溶着で溶着することにより一体化された状態で前面枠基体７に取り付けられることから、前面枠６表面の所定位置に機能に応じた所定色のカバーを一体的かつ立体感を有して配置できて、パチンコ遊技機１に従来にない意匠的美観を得ることができる。
【００３３】
さらに、前面枠６に設けた鍵ユニット１７に、鍵１７ａを差し込んで反時計方向に回転操作することにより前面枠６を外枠２から開放できると共に、時計方向に回転操作することにより内枠５と前面枠６を開放できるため、一つの鍵１７ａの操作で前面枠６や内枠５を開放できて、開放操作自体を簡単に行うことができると共に、一つの鍵ユニット１７の配置で対応できて、施錠機構の簡略化を図ることができる。また、１枚物の前面枠６を開放することで遊技盤の前面や遊技球発射操作ハンドル２１部分が開放されるため、遊技中の各種トラブル発生時に、従来のように第１〜第３の各扉枠を上段から順に一々開ける必要がなくなり、トラブル発生時の対応を的確かつ素早く行うことができる。
【００３４】
また、前面枠基体７の装飾部１１にスピーカ等の音声発生手段が配設されると共に、この音声発生手段を被覆する音声発生カバー１２ｄに音声通過孔を有するメッシュ板１８が設けられているため、遊技等に関する音声を音声発生手段から前面枠６前方に良好に発することができる。また、カバー部材１２に、前面枠基体７の下部に設けられた受皿１５に遊技球を誘導するための受皿誘導樋１６が一体形成されているため、例えば遊技者がパチンコ遊技機１と併設された球自販機で購入した遊技球を下方の受皿１５に自動的かつ確実に誘導することができる。これらにより、遊技者が快適な音楽を聴きながら遊技球の購入をスムーズに行いつつ、パチンコ遊技を良好に楽しむことが可能となる。
【００３５】
さらにまた、カバー部材１２の各カバー１２ａ〜１２ｄや透明板１２ｅが、それぞれ所定の金型等や所定色の樹脂により予め形成されてこれが一体的に熱溶着されるため、金型等による各カバー１２ａ〜１２ｄ等の成形を効率的かつ容易に行うことができて、そのコストダウンを図ることができると共に、各カバー１２ａ〜１２ｄや透明板１２ｅの一体化作業が容易に行える等、意匠的に変化に富み中央に透明板１２ｅを有するカバー部材１２を簡単に製造することができる。また、それぞれ所定の機能を有する各カバー１２ａ〜１２ｄ等を熱溶着で一体化した状態で例えば凹凸嵌合等の固着手段で前面枠基体７にワンタッチで組み付けるようにすれば、前面枠６の組付作業の作業性を一層向上させることもできる。
【００３６】
また、前面枠基体７の後面にガラス板保持ユニット９が組み付けられることにより、前面枠６にガラス９ａを有する遊技盤可視窓１０が形成されるため、ガラス９ａを前面枠６にその裏面側から簡単に取り付けできて、その組付性の向上を図ることができる。これらのことから、前面枠６の組立作業性を向上させてその製造工程の大幅な簡素化を図ることができ、結果としてパチンコ遊技機１の製造コストの低減化を図ること等が可能となる。また、遊技盤可視窓１０がカバー部材１２の透明板１２ｅとガラス板保持ユニット９のガラス９ａとで形成されるため、前面枠６の遊技盤可視窓１０に従来のような２枚の合わせガラスを使用する必要がなくなり、パチンコ遊技機１の遊技盤可視窓１０に使用されるガラス９ａの枚数を必要最低限（１枚）とすることができて、コスト的に有利なパチンコ遊技機１を得ることができると共に、透明板１２ｅを例えば凸面形状等の所望の表面形状に容易に形成できて、パチンコ遊技機１自体のデザイン性を一層高めることもできる。
【００３７】
さらにまた、前面枠基体７の装飾部１１にＬＥＤ等の電飾部材が配設され、この電飾部材がカバー部材１２の電飾カバー１２ｂ、１２ｃ等で被覆されると共に、この電飾カバー１２ｂ、１２ｃ等が透光性を有してその内面や表面形状によりレンズとして機能するため、電飾カバー１２ｂ、１２ｃを電飾用のレンズとして使用できて、内部の光をカバー部材１２を介して外部である前方に効果的に放つことができる等、カバー部材１２により装飾カバーユニット８の電飾効果を一層高めることができる。
【００３８】
なお、以上の説明においては、カバー部材１２の装飾部分を４個のカバー１２ａ〜１２ｄに分割した場合について説明したが、例えば左右に二分割したりあるいは三分割や五分割以上に分割する等、パチンコ遊技機１の前面意匠や機能に合わせて適宜に分割することができるし、各カバー１２ａ〜１２ｄの色調等も適宜に変更することができる。また、例えばカバー部材１２の形態があまり複雑でない場合には、各カバー１２ａ〜１２ｄや透明板１２ｅを多色同時成形により一体成形しても良く、この場合は、熱溶着作業等が不要となって、カバー部材１２の一層のコストダウンが図れると共に、カバー部材１２がその表面に接合部のない完全な一枚物となって、パチンコ遊技機１の意匠的美観の一層の向上等を図ることが可能となる。
【００３９】
さらに、上記実施形態においては、操作ハンドルカバー１３をカバー部材１２と別体としたが、例えば前記電飾カバー１２ｃ部分に操作ハンドルカバー１３を一体成形する等、カバー部材１２に操作ハンドルカバー１３を一体化した構成を採用することもできる。また、上記実施形態においては、カバー部材１２の各カバー１２ａ〜１２ｄや透明板１２ｅを熱溶着により連結させて一体化したが、例えば接着剤やビス等の固着手段により連結させて一体化しても良いし、上記実施形態における、前面枠基体７、受皿誘導樋１６、受皿１５の形状や配置位置等も一例であって、本発明に係わる各発明の要旨を逸脱しない範囲において適宜に変更することができる。
【産業上の利用可能性】
【００４０】
本発明は、外枠と内枠を有し内枠の前面に前面枠が開閉自在に装着される全てのパチンコ遊技機に適用できる。
【図面の簡単な説明】
【００４１】
【図１】本発明に係わるパチンコ遊技機の一実施形態を示す正面図
【図２】同その前面枠の開放状態を示す斜視図
【図３】同前面枠の分解斜視図
【図４】同前面枠基体の裏面図
【図５】従来のパチンコ遊技機の一例を示す正面図
【符号の説明】
【００４２】
１・・・・・・・・パチンコ遊技機
２・・・・・・・・外枠
３・・・・・・・・腰板部
５・・・・・・・・内枠
６・・・・・・・・前面枠
７・・・・・・・・前面枠基体
７ａ・・・・・・・表面
７ｂ・・・・・・・裏面
８・・・・・・・・装飾カバーユニット
９・・・・・・・・ガラス板保持ユニット
１０・・・・・・・遊技盤可視窓
１０ａ・・・・・・開口
１１・・・・・・・カバー取付部
１２・・・・・・・カバー部材
１２ａ・・・・・・受皿誘導樋カバー
１２ｂ、１２ｃ・・電飾カバー
１２ｄ・・・・・・音声発生カバー
１２ｅ・・・・・・透明板
１３・・・・・・・操作ハンドルカバー
１４・・・・・・・電飾カバー
１５・・・・・・・受皿
１６・・・・・・・受皿誘導樋
１７・・・・・・・鍵ユニット
１８・・・・・・・メッシュ板
１９・・・・・・・固定フック
２０・・・・・・・差し込み軸
２１・・・・・・・遊技球発射操作ハンドル
【図１】
2006174965.tif 000003
【図２】
2006174965.tif 000004
【図３】
2006174965.tif 000005
【図４】
2006174965.tif 000006
【図５】
2006174965.tif 000007